(57)【特許請求の範囲】
【請求項１】
ディスプレイに画像信号の表す画像を表示する表示手段と、
上記表示手段に画像信号を供給する画像信号供給手段と、を備え、
リフレッシュを実行する期間と該リフレッシュを停止する休止期間とを有する休止駆動を行う表示装置であって、
上記表示手段は、画像信号の供給を指示する制御信号を、上記休止期間が一定の期間を超えた場合に上記画像信号供給手段に供給し、
上記画像信号供給手段は、制御信号を取得した場合に画像信号を供給し、
上記表示手段は、
上記休止期間中に制御信号によらずに上記画像信号供給手段から画像信号が供給された場合、該供給された画像信号に基づいて画像をリフレッシュし、
該リフレッシュ後の上記休止期間が一定の期間を超えた場合に、上記画像信号供給手段に上記制御信号を供給することを特徴とする表示装置。
【請求項２】
ディスプレイに画像信号の表す画像を表示する表示手段と、
上記表示手段に画像信号を供給する画像信号供給手段と、を備え、
リフレッシュを実行する期間と該リフレッシュを停止する休止期間とを有する休止駆動を行う表示装置であって、
上記表示手段は、画像信号の供給を指示する制御信号を、上記休止期間が一定の期間を超えた場合に上記画像信号供給手段に供給し、
上記画像信号供給手段は、制御信号を取得した場合に画像信号を供給し、
上記表示手段は、
上記休止期間中に制御信号によらずに上記画像信号供給手段から画像信号が供給された場合、該供給された画像信号に基づいて画像をリフレッシュし、
該リフレッシュ後続けてさらに１回以上リフレッシュを行うために、上記画像信号供給手段に上記制御信号を供給し、該１回以上のリフレッシュ後に上記休止期間を再開することを特徴とする表示装置。
【請求項３】
上記表示手段は、上記画像信号供給手段に対して制御信号を複数回供給する、
ことを特徴とする請求項１又は２に記載の表示装置。
【請求項４】
上記表示手段は、上記画像信号供給手段に対して制御信号を供給しても画像信号が供給されない場合、さらに、少なくとも１回、制御信号を供給する、
ことを特徴とする請求項１から３の何れか１項に記載の表示装置。
【請求項５】
上記表示手段は、制御信号を、一定期間が経過する度に上記画像信号供給手段に供給する、
ことを特徴とする請求項４に記載の表示装置。
【請求項６】
上記表示手段は、上記画像信号供給手段に対して制御信号を供給しても画像信号が供給されない場合、上記ディスプレイに少なくとも１回黒画像を表示する、
ことを特徴とする請求項１から５の何れか１項に記載の表示装置。
【請求項７】
上記表示手段は、画像信号が供給されるまで、上記ディスプレイに黒画像を表示し続ける、
ことを特徴とする請求項６に記載の表示装置。
【請求項８】
上記表示手段は、当該表示装置の電源がオフ状態になるまで、上記ディスプレイに黒画像を表示し続ける、
ことを特徴とする請求項６に記載の表示装置。
【請求項９】
上記表示手段は、上記画像信号供給手段に対して制御信号を供給しても画像信号が供給されない場合、上記ディスプレイを構成する複数の画素の各々の電位を、少なくとも１回接地電位にする、
ことを特徴とする請求項１から５の何れか１項に記載の表示装置。
【請求項１０】
上記表示手段は、画像信号が供給されるまで、上記各画素の電位を接地電位にし続ける、
ことを特徴とする請求項９に記載の表示装置。
【請求項１１】
上記表示手段は、当該表示装置の電源がオフ状態になるまで、上記各画素の電位を接地電位にし続ける、
ことを特徴とする請求項９に記載の表示装置。
【請求項１２】
上記ディスプレイを構成する複数の画素の各々は、画素電極、及び共通電極をさらに備え、
上記表示手段は、上記画像信号供給手段に対して制御信号を供給しても画像信号が供給されない場合、上記画素電極及び上記共通電極の電位を、少なくとも１回ＧＮＤレベル以外の共通電位にする、
ことを特徴とする請求項１から５の何れか１項に記載の表示装置。
【請求項１３】
上記表示手段は、画像信号が供給されるまで、上記画素電極及び上記共通電極の電位をＧＮＤレベル以外の共通電位にし続ける、
ことを特徴とする請求項１２に記載の表示装置。
【請求項１４】
上記表示手段は、当該表示装置の電源がオフ状態になるまで、上記画素電極及び上記共通電極の電位をＧＮＤレベル以外の共通電位にし続ける、
ことを特徴とする請求項１２に記載の表示装置。
【請求項１５】
上記ディスプレイを構成する複数の画素の各々は、ＴＦＴをさらに備え、
上記ＴＦＴは、酸化物半導体を材料とする半導体層を有している、
ことを特徴とする請求項１から１４の何れか１項に記載の表示装置。
【請求項１６】
上記酸化物半導体は、ＩｎＧａＺｎＯｘである、
ことを特徴とする請求項１５に記載の表示装置。
【請求項１７】
ディスプレイに画像信号の表す画像を表示する表示手段と、上記表示手段に画像信号を供給する画像信号供給手段と、を備え、リフレッシュを実行する期間と該リフレッシュを停止する休止期間とを有する休止駆動を行う表示装置の制御方法であって、
上記表示手段は、画像信号の供給を指示する制御信号を、上記休止期間が一定の期間を超えた場合に上記画像信号供給手段に供給する指示ステップを含み、
上記画像信号供給手段は、制御信号を取得した場合に画像信号を供給する供給ステップを含み、
上記表示手段は、
上記休止期間中に制御信号によらずに上記画像信号供給手段から画像信号が供給された場合、該供給された画像信号に基づいて画像をリフレッシュし、
該リフレッシュ後の上記休止期間が一定の期間を超えた場合に、上記画像信号供給手段に上記制御信号を供給するか、又は、
該リフレッシュ後続けてさらに１回以上リフレッシュを行うために、上記画像信号供給手段に上記制御信号を供給し、当該１回以上のリフレッシュ後に上記休止期間を再開するか、することを特徴とする制御方法。
【発明の詳細な説明】
【技術分野】
【０００１】
本発明は、画像を表示する表示装置、及び、その制御方法に関するものである。
【背景技術】
【０００２】
一般に、表示システムは、表示モジュールと、当該表示モジュールを制御する表示制御装置とを備えている。上記表示モジュールは、表示画素がマトリクス状に配列された画素と、当該画素を駆動する駆動回路とを備える。【０００３】
上記画素は、ＬＣＤ（Liquid Crystal Display）、ＰＤＰ（PlasmaDisplay Panel）、ＥＬ（Electroluminescence）ディスプレイ、ＦＥＤ（Field Emission Display）などのＦＰＤ（Flat Panel Display）に利用されている。ＦＰＤは、従来のＣＲＴ（Cathode Ray Tube）よりも薄型化かつ軽量化が可能であることから、近時、大多数の表示装置に利用されている。【０００４】
一方、表示制御装置は、画像信号と、画素を駆動するための各種制御信号とを、表示モジュールの駆動回路に送信する。これにより、駆動回路によって画像信号を画像に変換する走査処理が行われ、表示モジュールに画像信号の表す画像が表示される。【０００５】
近年、上述の表示モジュールの高解像度化や、携帯情報端末への適用に伴い、表示モジュールによる消費電力の削減が求められるようになってきている。これに関して、例えば特許文献１に記載の技術が提案されている。【０００６】
特許文献１に記載の表示装置では、走査期間と非走査期間とが設定され、非走査期間では、コントロールＩＣが、ゲートドライバおよびソースドライバに対し、ゲートスタートパルス信号以外の信号を入力しないようにしている。これにより、上記非走査期間において上記ゲートドライバおよび上記ソースドライバの内部のロジック回路を動作させる必要がなくなるので、消費電力を削減することができる。さらに、特許文献１に記載の表示装置では、走査処理を実行する走査期間の種類ごとに、走査処理を休止する休止期間を複数設定できることが開示されている。【０００７】
また、消費電力を削減する技術として、表示モジュールに表示される画像が変化しない場合に、表示制御装置と表示モジュールとの通信、具体的には、表示制御装置から表示モジュールへの画像信号の供給を一時的に停止する技術が知られている。なお、このような場合には、ディスプレイに表示される画像は、表示モジュールの備えるフレームメモリに格納されている画像信号を用いて表示モジュールによってリフレッシュされることにより保持されるのが一般的である。
【先行技術文献】
【特許文献】
【０００８】
【特許文献１】日本国公開特許公報「特開２００１−３１２２５３号公報（２００１年１１月０９日公開）」
【発明の概要】
【発明が解決しようとする課題】
【０００９】
しかし、表示制御装置と表示モジュールとの通信を一時的に停止する場合には、表示モジュールにフレームメモリを備えていなければならず、表示装置のコスト増加の一因となっている。【００１０】
また、特許文献１に記載の技術では、リフレッシュを行わない非走査期間である休止期間の設定を表示制御装置側で行っている。このことから、特許文献１に記載の技術では、表示制御装置は、走査処理の実行および休止のタイミングを、表示モジュールの種類ごとに設定しておく必要がある。このため、設定の数が増えるにつれて、上記タイミングを生成する回路構成が大規模化および複雑化し、コストの増加を招くことになる。【００１１】
また、リフレッシュをしないまま表示品位を保つことのできる期間は、ディスプレイの種類、又は、ＴＦＴプロセスの種類によっても異なる。このことから、特許文献１に記載の技術のように、表示制御装置側によってリフレッシュのタイミングを制御する場合、リフレッシュされない休止期間の長さ如何によっては、ディスプレイを構成する要素（例えば、ディスプレイの備える表示素子に含まれるＴＦＴ、及びＬＣＤ材料など）の劣化を招くことになる。【００１２】
本発明は、上記の問題点に鑑みてなされたものであり、その目的は、ディスプレイを構成する要素の特性の劣化を防ぎつつ、消費電力、及びコストを削減することのできる表示装置を提供することにある。
【課題を解決するための手段】
【００１３】
本発明の一態様に係る表示装置は、上記の課題を解決するために、ディスプレイに画像信号の表す画像を表示する表示手段と、上記表示手段に画像信号を供給する画像信号供給手段と、を備え、上記表示手段は、画像信号の供給を指示する制御信号を上記画像信号供給手段に供給し、上記画像信号供給手段は、制御信号を取得した場合に画像信号を供給する、ことを特徴としている。【００１４】
本発明の一態様に係る表示装置の制御方法は、上記の課題を解決するために、ディスプレイに画像信号の表す画像を表示する表示手段と、上記表示手段に画像信号を供給する画像信号供給手段と、を備えた表示装置の制御方法であって、上記表示手段は、画像信号の供給を指示する制御信号を上記画像信号供給手段に供給する指示ステップを含み、上記画像信号供給手段は、制御信号を取得した場合に画像信号を供給する供給ステップを含んでいる、ことを特徴としている。
【発明の効果】
【００１５】
上記の構成によって、表示装置は、ディスプレイを構成する要素の特性の劣化を防ぎつつ、消費電力、及びコストを削減することができる。
【図面の簡単な説明】
【００１６】
【図１】本発明の一実施形態に係る表示装置の構成の概略を示すブロック図である。
【図２】本発明の一実施形態に係る表示装置における休止駆動の動作を示すタイミングチャートである。
【図３】本発明の一実施形態の変形例に係る表示装置における休止駆動の動作のタイミングを示すタイミングチャートである。
【図４】本発明の他の実施形態に係る表示装置における休止駆動の動作を示すタイミングチャートである。
【図５】本発明の他の実施形態の変形例に係る表示装置における休止駆動の動作のタイミングを示すタイミングチャートである。
【図６】本発明のさらに他の実施形態に係る表示装置における休止駆動の動作を示すタイミングチャートである。
【図７】本発明のさらに他の実施形態の変形例１に係る表示装置における休止駆動の動作のタイミングを示すタイミングチャートである。
【図８】本発明のさらに他の実施形態の変形例２に係る表示装置における休止駆動の動作のタイミングを示すタイミングチャートである。
【図９】本発明のさらに他の実施形態に係る表示装置における休止駆動の動作を示すタイミングチャートである。
【図１０】本発明のさらに他の実施形態の変形例１に係る表示装置における休止駆動の動作のタイミングを示すタイミングチャートである。
【図１１】本発明のさらに他の実施形態の変形例２に係る表示装置における休止駆動の動作のタイミングを示すタイミングチャートである。
【図１２】本発明のさらに他の実施形態の変形例３に係る表示装置における休止駆動の動作のタイミングを示すタイミングチャートである。
【図１３】本発明のさらに他の実施形態に係る表示装置における休止駆動の動作を示すタイミングチャートである。
【図１４】本発明のさらに他の実施形態の変形例１に係る表示装置における休止駆動の動作のタイミングを示すタイミングチャートである。
【図１５】本発明のさらに他の実施形態の変形例２に係る表示装置における休止駆動の動作のタイミングを示すタイミングチャートである。
【図１６】本発明のさらに他の実施形態の変形例３に係る表示装置における休止駆動の動作のタイミングを示すタイミングチャートである。
【図１７】本発明のさらに他の実施形態に係る表示装置における休止駆動の動作を示すタイミングチャートである。
【図１８】本発明のさらに他の実施形態の変形例１に係る表示装置における休止駆動の動作のタイミングを示すタイミングチャートである。
【図１９】本発明のさらに他の実施形態の変形例２に係る表示装置における休止駆動の動作のタイミングを示すタイミングチャートである。
【図２０】本発明のさらに他の実施形態の変形例３に係る表示装置における休止駆動の動作のタイミングを示すタイミングチャートである。
【図２１】本発明の各実施形態に係る表示装置において、酸化物半導体を用いたＴＦＴ、ａ−Ｓｉを用いたＴＦＴ、及び、ＬＴＰＳを用いたＴＦＴの各々の特性を示すグラフである。
【発明を実施するための形態】
【００１７】
＜実施形態１＞
本発明に係る表示装置の一実施形態について、図１から図３を参照して以下に説明する。但し、この実施形態に記載されている構成は、特に特定的な記載がない限り、この発明の範囲をそれのみに限定する趣旨ではなく、単なる説明例に過ぎない。
【００１８】
〔表示装置の構成〕
まず、本実施形態に係る表示装置の構成について、図１を参照して説明する。図１は、本実施形態に係る表示装置１の構成の概略を示すブロック図である。なお、表示装置１の一例として、携帯電話機、スマートフォン、ラップトップ型パーソナルコンピュータ、タブレット型の各種情報端末装置などを挙げることができる。
【００１９】
図１に示すように、本実施形態に係る表示装置１は、ＬＣＤ（ディスプレイ）１０、ＬＣＤ駆動部（表示手段）２０、ＬＣＤコントローラ（表示手段）３０、ＣＰＵ（画像信号供給手段）４０、及び、インターフェース５０を備えている。
【００２０】
（ＬＣＤ）
ＬＣＤ１０は、マトリクス状に配置された複数の画素（不図示）を備えている。ＬＣＤ１０は、複数の画素を線順次に選択して走査するための複数の走査信号線、及び、選択されたラインに含まれる１行分の画素に画像信号を供給するデータ信号線（何れも不図示）を備えている。なお、走査信号線とデータ信号線とは、絶縁体層（不図示）を介して互いに交差するように設けられている。また、ＬＣＤ１０は、各画素に対して設けられる共通電極（不図示）を備えている。
【００２１】
（ＬＣＤ駆動部）
ＬＣＤ駆動部２０は、走査信号線駆動回路、データ信号線駆動回路、及び、共通電極駆動回路（何れも不図示）を備えている。
【００２２】
走査信号線駆動回路は、ＬＣＤ１０の備える走査信号線を順次走査する。その際、走査信号線駆動回路は、各走査信号線に対して、画素に備えられ画素電極に接続されるスイッチング素子（ＴＦＴ）をオン状態にさせるための矩形波（走査信号）を出力する。これにより、ＬＣＤ１０の１行分の画素を選択状態にする。
【００２３】
但し、走査信号線駆動回路における走査は、上述した順次走査に限定されるものではない。例えば、１本目、３本目、５本目・・・と奇数番目の走査信号線を走査した後に、２本目、４本目、６本目・・・と偶数番目の走査信号線を走査する飛越し走査（いわゆる、インターレース駆動）を行ってもよい。
【００２４】
データ信号線駆動回路は、外部からＬＣＤコントローラ３０を介して入力された画像信号を、走査信号線駆動回路によって選択された走査信号線に対応する１行分の各画素に出力すべき電圧の値に変換し、その値の電圧をデータ信号として各データ信号線に出力する。その結果、選択された走査信号線に対応する各画素に対して画像信号が供給される。
【００２５】
共通電極駆動回路は、ＬＣＤコントローラ３０から入力される極性反転信号に基づき、ＬＣＤの備える共通電極を駆動するための所定の共通電圧を、共通電極に出力する。
【００２６】
ＬＣＤ駆動部２０は、上述の構成によって、ＬＣＤコントローラ３０から供給される画像信号が表す画像をＬＣＤ１０に表示する。また、ＬＣＤ駆動部２０は、ＬＣＤ１０に現在表示されている画像に替えて、新たに供給された画像信号が表す画像をＬＣＤ１０に表示するよう、リフレッシュする。
【００２７】
なお、本実施形態では、ＬＣＤ駆動部２０と、ＬＣＤコントローラ３０とによって表示手段を構成している。
【００２８】
（ＬＣＤコントローラ）
ＬＣＤコントローラ３０は、外部から入力された画像信号を、ＬＣＤ駆動部２０の備えるデータ信号線駆動回路に供給する。
【００２９】
ＬＣＤコントローラ３０は、ＬＣＤ駆動部２０の備える走査信号線駆動回路、及び、データ信号線駆動回路における動作のタイミングを制御する。具体的には、ＬＣＤコントローラ３０は、走査信号線駆動回路における、各走査信号線への走査信号の出力のタイミングを制御し、データ信号線駆動回路における、各データ信号線への画像信号の出力のタイミングを制御する。
【００３０】
また、ＬＣＤコントローラ３０は、ＣＰＵ４０からの画像信号の供給を停止すると共に、ＬＣＤ１０に表示される画像のリフレッシュを停止することで消費電力を削減する休止駆動において、ＬＣＤ１０によって保持されている画像が表示品位を保てなくなることによってリフレッシュが必要になる場合に、リフレッシュを行うようＬＣＤ駆動部２０を制御する。
【００３１】
具体的には、ＬＣＤ駆動部２０によるＬＣＤ１０に表示されている画像のリフレッシュ（以降、ＬＣＤ駆動部２０によるリフレッシュとも記載する）を実行させるために、割込み信号（制御信号）をＣＰＵ４０に出力し、割込み信号に応じてＣＰＵ４０から供給される画像信号に従ってリフレッシュするようＬＣＤ駆動部２０を制御する。割込み信号とは、ＬＣＤ駆動部２０によるリフレッシュに用いられる画像信号をＣＰＵ４０から取得するために、ＣＰＵ４０に対して画像信号の供給を指示する信号である。
【００３２】
割込み信号がＬＣＤコントローラ３０から出力されるタイミングは、ＬＣＤ１０の特性に基づいて、予め設定されていればよい。ＬＣＤ１０の特性とは、例えば、ＬＣＤ１０の備える各画素において画像を表示するために保持されている電圧の、時間経過に対する劣化の度合いなどである。
【００３３】
具体的には、割込み信号が出力されるタイミングとして、ＬＣＤコントローラ３０に、ある割込み信号の供給から次の割込み信号の供給までの期間によって定まる休止期間（停止期間）、すなわち、ＬＣＤ駆動部２０によるリフレッシュを一時的に停止させる休止期間であって、ＣＰＵ４０からの画像信号の供給を停止する休止期間が予め設定されていればよく、休止駆動において当該休止期間が経過する度に割込み信号が出力されればよい。つまり、ＬＣＤコントローラ３０には、通常のリフレッシュを何度（何フレーム）行う度に、リフレッシュを何度（何フレーム）停止させるかを定めた休止期間が予め設定されていればよい。
【００３４】
なお、ＬＣＤコントローラ３０は、割込み信号を、休止期間の経過後、ＬＣＤ駆動部２０が各フレームにおいて各データ信号線にデータ信号の供給を開始するタイミングに同期して供給してもよいし、後述するＣＰＵ４０からＬＣＤコントローラ３０に画像信号が供給されるタイミングに同期して供給してもよい。
【００３５】
さらに、ＬＣＤコントローラ３０は、ＬＣＤ駆動部２０が各フレームにおいて各データ信号線にデータ信号の供給を開始するタイミング、及び、ＣＰＵ４０からＬＣＤコントローラ３０に画像信号が供給されるタイミングの双方に同期して、割込み信号を供給してもよい。
【００３６】
本実施形態では、ＬＣＤコントローラ３０に、休止駆動において、１回（１フレーム）リフレッシュが行われる度に、３フレームに要する期間リフレッシュを停止するように、休止期間が予め設定されている場合を例に挙げて説明する。
【００３７】
なお、ＬＣＤ１０の備える各画素における電圧の保持特性は、各画素に含まれるＴＦＴの特性が大きく関係しており、ＴＦＴにおける電圧の保持特性が大きいほど、休止期間を長く設定しておくことができる。
【００３８】
（ＣＰＵ）
ＣＰＵ（Central Processing Unit）４０は、表示装置１の備える各部を制御するものである。また、ＣＰＵ４０は、外部から入力される画像信号をＬＣＤコントローラ３０に供給する。
【００３９】
さらに、ＣＰＵ４０は、休止駆動においては、ＬＣＤコントローラ３０から割込み信号が供給された場合にのみ、画像信号を供給する。
【００４０】
（インターフェース）
インターフェース５０は、ＣＰＵ４０から出力された画像信号をＬＣＤコントローラ３０に供給する情報伝達手段である。
【００４１】
なお、図１では、インターフェース５０を介して、ＣＰＵ４０からＬＣＤコントローラ３０に画像信号が供給され、ＬＣＤコントローラ３０からＣＰＵ４０に割込み信号が供給されることを明示するため、インターフェース５０が２本の伝送ラインを備えているよう図示しているが、もちろん、インターフェース５０は１本あるいは複数本の伝送ラインで構成されていてもよい。
【００４２】
〔休止駆動〕
次に、本実施形態に係る表示装置１における休止駆動について、図２を参照して説明する。図２は、本実施形態に係る表示装置１における休止駆動の動作のタイミングを示すタイミングチャートである。図２の（ａ）は、ＣＰＵ４０がインターフェース５０を介してＬＣＤコントローラ３０に画像信号を供給するタイミングを示し、（ｂ）は、ＬＣＤコントローラ３０がインターフェース５０を介してＣＰＵ４０に割込み信号を供給するタイミングを示し、（ｃ）は、ＬＣＤ駆動部２０がＬＣＤ１０に表示されている画像のリフレッシュを行うタイミングを示している。
【００４３】
なお、本実施形態では、休止駆動における休止期間が、３フレーム分のリフレッシュに要する期間である場合を例に挙げて説明する。
【００４４】
ＬＣＤコントローラ３０は、図２の（ｂ）に示すように、時刻Ｔ１０１において、割込み信号をＣＰＵ４０に出力する。
【００４５】
ＣＰＵ４０は、割込み信号を取得すると、図２の（ａ）に示すように、時刻Ｔ１０２からＴ１０３まで、インターフェース５０を介してＬＣＤコントローラ３０に画像信号を供給する。また、ＬＣＤコントローラ３０は、ＣＰＵ４０から取得した画像信号をＬＣＤ駆動部２０に供給する。
【００４６】
ＬＣＤ駆動部２０は、ＬＣＤコントローラ３０から画像信号を取得すると、図２の（ｃ）に示すように、取得した画像信号をＬＣＤ１０に表示するよう、時刻Ｔ１０２からＴ１０３までの期間において、ＬＣＤ１０に表示されている画像のリフレッシュを実行する。なお、図２に示すように、時刻Ｔ１０１からＴ１０３までの期間によって、１フレームが構成されている。
【００４７】
ＬＣＤコントローラ３０は、時刻Ｔ１０３においてＬＣＤ１０に表示されている画像のリフレッシュが終了すると、休止期間が経過する時刻Ｔ１０４まで、ＬＣＤ駆動部２０によるリフレッシュを停止させる。ＬＣＤ１０は、時刻Ｔ１０２からＴ１０３までの期間において表示された画像を、次のリフレッシュのタイミングまで保持する。
【００４８】
また、ＬＣＤコントローラ３０は、時刻Ｔ１０４において休止期間が終了すると、図２の（ｂ）に示すように、ＣＰＵ４０に対して、再び割込み信号を供給する。
【００４９】
ＣＰＵ４０は、割込み信号を取得すると、図２の（ａ）に示すように、時刻Ｔ１０５からＴ１０６まで、インターフェース５０を介してＬＣＤコントローラ３０に画像信号を供給し、ＬＣＤコントローラ３０は、ＣＰＵ４０から取得した画像信号をＬＣＤ駆動部２０に供給する。
【００５０】
ＬＣＤ駆動部２０は、ＬＣＤコントローラ３０から画像信号を取得すると、図２の（ｃ）に示すように、取得した画像信号をＬＣＤ１０に表示するよう、時刻Ｔ１０５からＴ１０６までの期間において、ＬＣＤ１０に表示されている画像のリフレッシュを実行する。
【００５１】
なお、ＬＣＤコントローラ３０は、時刻Ｔ１０６においてＬＣＤ駆動部２０によるリフレッシュが終了すると、再び休止期間が経過するまで、ＬＣＤ駆動部２０によるリフレッシュを停止させる。
【００５２】
上述の構成によれば、本実施形態に係る表示装置１は、ＬＣＤコントローラ３０からＣＰＵ４０に割込み信号を供給することによってリフレッシュに用いられる画像信号を直接ＣＰＵ４０から取得することができる。このため、表示装置１は、ＬＣＤ駆動部２０において、ＬＣＤコントローラ３０に設けられたフレームメモリに格納されている画像信号に基づいてリフレッシュを行う必要がない。すなわち、ＬＣＤコントローラ３０にフレームメモリを設ける必要がない。
【００５３】
したがって、本実施形態に係る表示装置１は、フレームメモリに要するコストを削減することができる。
【００５４】
また、本実施形態に係る表示装置１は、ＬＣＤ１０の特性に基づいた休止期間を予め設定しておくことができるため、休止期間が長すぎるなど、ＬＣＤ１０の特性に合わないことによってＬＣＤ１０の備える画素に含まれる要素（例えば、ＴＦＴ、及びＬＣＤに用いられるＬＣＤ材料など）の特性が劣化してしまうことを防ぐことができる。
【００５５】
さらに、本実施形態に係る表示装置１は、ＬＣＤコントローラ３０にＬＣＤ１０の特性に合わせた休止期間を予め設定しておくことができるため、ＣＰＵ４０を異なる特性を有するＬＣＤ毎に個別に設計する必要がない。このため、ＣＰＵ４０の設計に係るコストを削減することができる。
【００５６】
なお、本実施形態においては、ＬＣＤコントローラ３０に休止期間が予め設定されている場合を例に挙げて説明したが、本発明はこれに限定されるものではない。例えば、休止駆動を行う度に、ＬＣＤコントローラ３０が、ＬＣＤ１０の特性に合わせて休止期間を設定する構成を採用してもよい。
【００５７】
＜変形例＞
なお、本実施形態では、リフレッシュを１フレーム行う度に休止期間を設けるように休止駆動を行う場合を例に挙げて説明したが、本発明はこれに限定されるものではない。例えば、休止駆動において、リフレッシュを所定のフレーム数だけ連続で行う度に、休止期間を設ける構成を採用してもよい。なお、本変形例では、リフレッシュを２フレーム連続で行う度に、休止期間を設ける休止駆動を行う場合を例に挙げて説明する。
【００５８】
本変形例に係る休止駆動について、図３を参照して説明する。図３は、本実施形態の変形例に係る表示装置１における休止駆動の動作のタイミングを示すタイミングチャートである。図３の（ａ）は、ＣＰＵ４０がＬＣＤコントローラ３０に画像信号を供給するタイミングを示し、（ｂ）は、ＬＣＤコントローラ３０がＣＰＵ４０に割込み信号を供給するタイミングを示し、（ｃ）は、ＬＣＤ駆動部２０がＬＣＤ１０に表示されている画像のリフレッシュを行うタイミングを示している。
【００５９】
図３の（ａ）〜（ｃ）に示すように、時刻Ｔ１１１及びＴ１１２においてＬＣＤコントローラ３０からＣＰＵ４０に割込み信号が供給されることにより、時刻Ｔ１１１からＴ１１３までの期間において、ＬＣＤ駆動部２０によるリフレッシュが２フレーム連続で行われる。
【００６０】
ＬＣＤコントローラ３０は、ＬＣＤ駆動部２０によるリフレッシュが２フレーム連続で行われた時点から休止期間が経過するまでの、時刻Ｔ１１３からＴ１１４までの期間、ＬＣＤ駆動部２０によるリフレッシュを停止させる。
【００６１】
また、ＬＣＤコントローラ３０は、時刻Ｔ１１４において休止期間が終了すると、時刻Ｔ１１４及びＴ１１５において、再びＣＰＵ４０に割込み信号を供給する。この割込み信号に従って、ＣＰＵ４０からＬＣＤ駆動部２０に画像信号が供給され、時刻Ｔ１１４からＴ１１６までの期間において、ＬＣＤ駆動部２０によるリフレッシュが行われる。
【００６２】
なお、ＬＣＤコントローラ３０は、時刻Ｔ１１６においてＬＣＤ駆動部２０によるリフレッシュが終了すると、再び休止期間が経過するまで、ＬＣＤ駆動部２０によるリフレッシュを停止させる。
【００６３】
＜実施形態２＞
実施形態１では、休止期間の終了と同時にＬＣＤコントローラ３０からＣＰＵ４０に割込み信号が供給され、これによってＬＣＤ駆動部２０によるリフレッシュが行われる構成を例に挙げて説明したが、休止期間中にＣＰＵ４０からＬＣＤコントローラ３０に画像信号が供給されるような場合もある。
【００６４】
本実施形態では、このような場合における、表示装置１の動作について、図４を参照して説明する。図４は、本実施形態に係る表示装置１における休止駆動の動作のタイミングを示すタイミングチャートである。図４の（ａ）は、ＣＰＵ４０がＬＣＤコントローラ３０に画像信号を供給するタイミングを示し、（ｂ）は、ＬＣＤコントローラ３０がＣＰＵ４０に割込み信号を供給するタイミングを示し、（ｃ）は、ＬＣＤ駆動部２０がＬＣＤ１０に表示されている画像のリフレッシュを行うタイミングを示している。
【００６５】
ＬＣＤコントローラ３０は、図４の（ｂ）に示すように、時刻Ｔ２０１において、割込み信号をＣＰＵ４０に出力する。
【００６６】
ＣＰＵ４０は、割込み信号を取得すると、図４の（ａ）に示すように、時刻Ｔ２０２からＴ２０３まで、インターフェース５０を介してＬＣＤコントローラ３０に画像信号を供給し、ＬＣＤコントローラ３０は、ＣＰＵ４０から取得した画像信号をＬＣＤ駆動部２０に供給する。
【００６７】
ＬＣＤ駆動部２０は、ＬＣＤコントローラ３０から画像信号を取得すると、図４の（ｃ）に示すように、取得した画像信号をＬＣＤ１０に表示するよう、時刻Ｔ２０２からＴ２０３までの期間において、ＬＣＤ１０に表示されている画像のリフレッシュを実行する。
【００６８】
ＬＣＤコントローラ３０は、時刻Ｔ２０３においてＬＣＤ１０に表示されている画像のリフレッシュが終了すると、休止期間が経過するまで、ＬＣＤ駆動部２０によるリフレッシュを停止させる。
【００６９】
このとき、図４の（ａ）に示すように、休止期間であるにも拘らず、時刻Ｔ２０４から始まるフレームにおいてＣＰＵ４０から画像信号が供給されることがある。このような場合には、ＬＣＤコントローラ３０は、供給された画像信号をＬＣＤ駆動部２０に供給すると共に、（ｃ）に示すように、ＬＣＤ駆動部２０にリフレッシュを実行させる。
【００７０】
ＬＣＤコントローラ３０は、時刻Ｔ２０５においてＬＣＤ駆動部２０によるリフレッシュが終了すると、再び休止期間が経過するまで、ＬＣＤ駆動部２０によるリフレッシュを停止させる。
【００７１】
また、時刻Ｔ２０６において休止期間が終了すると、ＬＣＤコントローラ３０は、図４の（ｂ）に示すように、時刻Ｔ２０６において再びＣＰＵ４０に割込み信号を供給する。この割込み信号に従って、ＣＰＵ４０からＬＣＤ駆動部２０に画像信号が供給され、時刻Ｔ２０６からＴ２０８までの期間において、ＬＣＤ駆動部２０によるリフレッシュが行われる。
【００７２】
ＬＣＤコントローラ３０は、時刻Ｔ２０８においてＬＣＤ駆動部２０によるリフレッシュが終了すると、再び休止期間が経過するまで、ＬＣＤ駆動部２０によるリフレッシュを停止させる。
【００７３】
上述の構成によれば、本実施形態に係る表示装置１は、休止期間中にＣＰＵ４０から画像信号が供給された場合であっても、当該供給された画像信号に基づいてＬＣＤ駆動部２０による画像のリフレッシュを実行することができる。
【００７４】
なお、本実施形態では、休止駆動を開始した１フレーム（図４において、時刻Ｔ２０４）後にＣＰＵ４０から画像信号が供給される場合を例に挙げて説明したが、本発明はこれに限定されるものではない。例えば、休止期間を開始した複数フレーム後、及び、フレームの途中などにＣＰＵ４０から画像信号が供給された場合であっても、ＬＣＤコントローラ３０は、ＬＣＤ駆動部２０にリフレッシュを実行させる。
【００７５】
すなわち、ＬＣＤコントローラ３０は、割込み信号を供給していないにも拘らずＣＰＵ４０から画像信号が供給された場合、当該画像信号の供給が休止期間中の何れのタイミングにおいてされたものであっても、ＬＣＤ駆動部２０にリフレッシュを実行させればよい。
【００７６】
＜変形例＞
なお、本実施形態では、休止期間中にＣＰＵ４０から供給された画像信号に基づいてリフレッシュを行った後、すぐに休止期間を再開する場合を例に挙げて説明したが、本発明はこれに限定されるものではない。例えば、休止期間中にＣＰＵ４０から供給された画像信号に基づいて行われたリフレッシュに続けて、所定のフレーム数だけリフレッシュを行う構成を採用してもよい。なお、本変形例では、休止期間中にＣＰＵ４０から供給された画像信号に基づいてリフレッシュを行った後、２フレーム続けてリフレッシュを行う場合を例に挙げて説明する。
【００７７】
本変形例に係る休止駆動について、図５を参照して説明する。図５は、本実施形態の変形例に係る表示装置１における休止駆動の動作のタイミングを示すタイミングチャートである。図５の（ａ）は、ＣＰＵ４０がＬＣＤコントローラ３０に画像信号を供給するタイミングを示し、（ｂ）は、ＬＣＤコントローラ３０がＣＰＵ４０に割込み信号を供給するタイミングを示し、（ｃ）は、ＬＣＤ駆動部２０がＬＣＤ１０に表示されている画像のリフレッシュを行うタイミングを示している。
【００７８】
図５の（ａ）〜（ｃ）に示すように、時刻Ｔ２１１においてＬＣＤコントローラ３０からＣＰＵ４０に割込み信号が供給されることにより、時刻Ｔ２１１からＴ２１２までの期間において、ＬＣＤ駆動部２０によるリフレッシュが行われる。
【００７９】
ＬＣＤコントローラ３０は、ＬＣＤ駆動部２０によるリフレッシュが終了する時刻Ｔ２１２から休止期間が経過するまでの期間、ＬＣＤ駆動部２０によるリフレッシュを停止させる。
【００８０】
このとき、図５の（ａ）に示すように、休止期間であるにも拘らず、時刻Ｔ２１３から始まるフレームにおいてＣＰＵ４０から画像信号が供給されることがある。このような場合には、ＬＣＤコントローラ３０は、供給された画像信号をＬＣＤ駆動部２０に供給すると共に、（ｃ）に示すように、ＬＣＤ駆動部２０にリフレッシュを実行させる。
【００８１】
時刻Ｔ２１４においてＬＣＤ駆動部２０によるリフレッシュが終了すると、ＬＣＤコントローラ３０は、時刻Ｔ２１４及びＴ２１５においてＣＰＵ４０に割込み信号を供給する。この割込み信号に従ってＣＰＵ４０からＬＣＤ駆動部２０に画像信号が供給され、時刻Ｔ２１４からＴ２１６までの期間において、リフレッシュが行われる。
【００８２】
すなわち、休止期間中にＣＰＵ４０から画像信号が供給された時刻Ｔ２１３からＴ２１６までの期間において、ＬＣＤ駆動部２０によるリフレッシュが行われることになる。
【００８３】
なお、ＬＣＤコントローラ３０は、時刻Ｔ２１６においてＬＣＤ駆動部２０によるリフレッシュが終了すると、再び休止期間が経過するまで、ＬＣＤ駆動部２０によるリフレッシュを停止させる。
【００８４】
＜実施形態３＞
実施形態１では、休止期間の終了と同時にＬＣＤコントローラ３０からＣＰＵ４０に割込み信号が供給され、これによってＬＣＤ駆動部２０によるリフレッシュが行われる構成を例に挙げて説明したが、割込み信号が供給されたにも拘らず、例えばＣＰＵ４０の誤動作などに起因して、ＣＰＵ４０から画像信号が供給されないような場合もある。
【００８５】
本実施形態では、このような場合における、表示装置１の動作について、図６を参照して説明する。図６は、本実施形態に係る表示装置１における休止駆動の動作のタイミングを示すタイミングチャートである。図６の（ａ）は、ＣＰＵ４０がＬＣＤコントローラ３０に画像信号を供給するタイミングを示し、（ｂ）は、ＬＣＤコントローラ３０がＣＰＵ４０に割込み信号を供給するタイミングを示し、（ｃ）は、ＬＣＤ駆動部２０がＬＣＤ１０に表示されている画像のリフレッシュを行うタイミングを示している。
【００８６】
図６の（ａ）〜（ｃ）に示すように、時刻Ｔ３０１においてＬＣＤコントローラ３０からＣＰＵ４０に割込み信号が供給されることにより、時刻Ｔ３０１からＴ３０２までの期間において、ＬＣＤ駆動部２０によるリフレッシュが行われる。
【００８７】
ＬＣＤコントローラ３０は、ＬＣＤ駆動部２０によるリフレッシュが終了する時刻Ｔ３０２から休止期間が経過するまでの期間、ＬＣＤ駆動部２０によるリフレッシュを停止させる。
【００８８】
また、時刻Ｔ３０３において休止期間が終了すると、ＬＣＤコントローラ３０は、時刻Ｔ３０３において、再びＣＰＵ４０に割込み信号を供給する。このとき、割込み信号が供給されているにも拘らず、ＣＰＵ４０からは画像信号が供給されず、ＬＣＤ駆動部２０によるリフレッシュも行われない。
【００８９】
このような場合には、ＬＣＤコントローラ３０は、時刻Ｔ３０５において再び割込み信号をＣＰＵ４０に供給する。この割込み信号に従って、ＣＰＵ４０からＬＣＤ駆動部２０に画像信号が供給され、時刻Ｔ３０５からＴ３０６までの期間において、ＬＣＤ駆動部２０によるリフレッシュが行われる。
【００９０】
なお、ＬＣＤコントローラ３０は、時刻Ｔ３０６においてＬＣＤ駆動部２０によるリフレッシュが終了すると、再び休止期間が経過するまで、ＬＣＤ駆動部２０によるリフレッシュを停止させる。
【００９１】
上述の構成によれば、本実施形態に係る表示装置１は、ＣＰＵ４０に割込み信号を１度供給するだけでは画像信号が供給されない場合であっても、さらに割込み信号を供給することによってＣＰＵ４０からの画像信号を取得することができる。これによって、ＬＣＤコントローラ３０は、ＬＣＤ駆動部２０によるリフレッシュを実行させることができる。
【００９２】
＜変形例１＞
なお、本実施形態では、ＣＰＵ４０に割込み信号を供給しても画像信号が供給されない場合に、さらに割込み信号を１回供給することによって、画像信号の供給を受け、リフレッシュを行う場合を例に挙げて説明したが、本発明はこれに限定されるものではない。例えば、ＣＰＵ４０から画像信号が供給されるまで、毎フレームにおいて割込み信号を供給し続ける構成を採用してもよい。なお、本変形例では、ＣＰＵ４０に割込み信号を供給しても画像信号が供給されない場合に、さらに２回割込み信号を供給する場合を例に挙げて説明する。
【００９３】
本変形例に係る表示装置１の休止駆動について、図７を参照して説明する。図７は、本実施形態の変形例に係る表示装置１における休止駆動の動作のタイミングを示すタイミングチャートである。図７の（ａ）は、ＣＰＵ４０がＬＣＤコントローラ３０に画像信号を供給するタイミングを示し、（ｂ）は、ＬＣＤコントローラ３０がＣＰＵ４０に割込み信号を供給するタイミングを示し、（ｃ）は、ＬＣＤ駆動部２０がＬＣＤ１０に表示されている画像のリフレッシュを行うタイミングを示している。
【００９４】
図７の（ａ）〜（ｃ）に示すように、時刻Ｔ３１１においてＬＣＤコントローラ３０からＣＰＵ４０に割込み信号が供給されることにより、時刻Ｔ３１１からＴ３１２までの期間において、ＬＣＤ駆動部２０によるリフレッシュが行われる。
【００９５】
ＬＣＤコントローラ３０は、ＬＣＤ駆動部２０によるリフレッシュが終了する時刻Ｔ３１２から休止期間が経過するまでの期間、ＬＣＤ駆動部２０によるリフレッシュを停止させる。
【００９６】
また、時刻Ｔ３１３において休止期間が終了すると、ＬＣＤコントローラ３０は、時刻Ｔ３１３において、再びＣＰＵ４０に割込み信号を供給する。このとき、割込み信号が供給されているにも拘らず、ＣＰＵ４０からは画像信号が供給されず、ＬＣＤ駆動部２０によるリフレッシュが行われない。
【００９７】
このような場合には、ＬＣＤコントローラ３０は、ＣＰＵ４０から画像信号が供給されるまで、１フレーム期間毎に割込み信号を供給する。ＬＣＤコントローラ３０は、図７の（ｂ）に示すように、本変形例では、時刻Ｔ３１３、Ｔ３１４、Ｔ３１５と１フレーム期間毎にＣＰＵ４０に割込み信号を供給する。
【００９８】
時刻Ｔ３１５においてＬＣＤコントローラ３０が供給した割込み信号によってＣＰＵ４０から画像信号が供給されると、時刻Ｔ３１５からＴ３１６までの期間において、ＬＣＤ駆動部２０によるリフレッシュが行われる。
【００９９】
なお、ＬＣＤコントローラ３０は、時刻Ｔ３１６においてＬＣＤ駆動部２０によるリフレッシュが終了すると、再び休止期間が経過するまで、ＬＣＤ駆動部２０によるリフレッシュを停止させる。
【０１００】
＜変形例２＞
本実施形態に係る変形例１では、ＣＰＵ４０に割込み信号を供給しても画像信号が供給されない場合に、ＣＰＵ４０から画像信号が供給されるまで、１フレーム期間毎に割込み信号を供給し続ける構成を例に挙げて説明したが、本発明は、これに限定されるものではない。例えば、ＣＰＵ４０から画像信号が供給されるまで、一定期間（例えば、所定のフレーム数に要する期間）が経過する度に割込み信号を供給する構成を採用してもよい。なお、本変形例では、ＣＰＵ４０から画像信号が供給されるまで、２フレーム毎に割込み信号を供給し続ける（すなわち、１フレーム毎に割込み信号の供給と非供給とを繰り返す）構成を例に挙げて説明する。
【０１０１】
本変形例に係る表示装置１の休止駆動について、図８を参照して説明する。図８は、本実施形態の変形例に係る表示装置１における休止駆動の動作のタイミングを示すタイミングチャートである。図８の（ａ）は、ＣＰＵ４０がＬＣＤコントローラ３０に画像信号を供給するタイミングを示し、（ｂ）は、ＬＣＤコントローラ３０がＣＰＵ４０に割込み信号を供給するタイミングを示し、（ｃ）は、ＬＣＤ駆動部２０がＬＣＤ１０に表示されている画像のリフレッシュを行うタイミングを示している。
【０１０２】
図８の（ａ）〜（ｃ）に示すように、時刻Ｔ３２１においてＬＣＤコントローラ３０からＣＰＵ４０に割込み信号が供給されることにより、時刻Ｔ３２１からＴ３２２までの期間において、ＬＣＤ駆動部２０によるリフレッシュが行われる。
【０１０３】
ＬＣＤコントローラ３０は、ＬＣＤ駆動部２０によるリフレッシュが終了する時刻Ｔ３２２から休止期間が経過するまでの期間、ＬＣＤ駆動部２０によるリフレッシュを停止させる。
【０１０４】
また、時刻Ｔ３２３において休止期間が終了すると、ＬＣＤコントローラ３０は、時刻Ｔ３２３において、再びＣＰＵ４０に割込み信号を供給する。このとき、割込み信号が供給されているにも拘らず、ＣＰＵ４０からは画像信号が供給されず、ＬＣＤ駆動部２０によるリフレッシュが行われない。
【０１０５】
このような場合には、ＬＣＤコントローラ３０は、ＣＰＵ４０から画像信号が供給されるまで、２フレーム期間毎に割込み信号を供給する。ＬＣＤコントローラ３０は、図８の（ｂ）に示すように、本変形例では、時刻Ｔ３２３に割込み信号を供給した後、２フレーム期間後の時刻Ｔ３２４に再び割込み信号を供給する。
【０１０６】
時刻Ｔ３２４においてＬＣＤコントローラ３０が供給した割込み信号によってＣＰＵ４０から画像信号が供給されると、時刻Ｔ３２４からＴ３２５までの期間において、ＬＣＤ駆動部２０によるリフレッシュが行われる。
【０１０７】
なお、ＬＣＤコントローラ３０は、時刻Ｔ３２５においてＬＣＤ駆動部２０によるリフレッシュが終了すると、再び休止期間が経過するまで、ＬＣＤ駆動部２０によるリフレッシュを停止させる。
【０１０８】
＜実施形態４＞
実施形態１では、休止期間の終了と同時にＬＣＤコントローラ３０からＣＰＵ４０に割込み信号が供給され、これによってＬＣＤ駆動部２０によるリフレッシュが行われる構成を例に挙げて説明したが、割込み信号が供給されたにも拘らず、例えばＣＰＵ４０の誤動作などに起因して、ＣＰＵ４０から画像信号が供給されないような場合もある。
【０１０９】
本実施形態に係る表示装置１は、このような場合に、ＬＣＤ１０の備える各画素に黒色を表示（いわゆる、黒画像表示）させるように動作する。
【０１１０】
本実施形態に係る表示装置１の動作について、図９を参照して説明する。図９は、本実施形態に係る表示装置１における休止駆動の動作のタイミングを示すタイミングチャートである。図９の（ａ）は、ＣＰＵ４０がＬＣＤコントローラ３０に画像信号を供給するタイミングを示し、（ｂ）は、ＬＣＤコントローラ３０がＣＰＵ４０に割込み信号を供給するタイミングを示し、（ｃ）は、ＬＣＤ駆動部２０がＬＣＤ１０に表示されている画像のリフレッシュを行うタイミングを示している。
【０１１１】
図９の（ａ）〜（ｃ）に示すように、時刻Ｔ４０１においてＬＣＤコントローラ３０からＣＰＵ４０に割込み信号が供給されることにより、時刻Ｔ４０１からＴ４０２までの期間において、ＬＣＤ駆動部２０によるリフレッシュが行われる。
【０１１２】
ＬＣＤコントローラ３０は、ＬＣＤ駆動部２０によるリフレッシュが終了する時刻Ｔ４０２から休止期間が経過するまでの期間、ＬＣＤ駆動部２０によるリフレッシュを停止させる。
【０１１３】
また、時刻Ｔ４０３において休止期間が終了すると、ＬＣＤコントローラ３０は、時刻Ｔ４０３において、再びＣＰＵ４０に割込み信号を供給する。このとき、割込み信号が供給されているにも拘らず、ＣＰＵ４０からは画像信号が供給されず、ＬＣＤ駆動部２０によるリフレッシュも行われない。
【０１１４】
このような場合には、ＬＣＤコントローラ３０は、時刻Ｔ４０３から始まるフレームの直後のフレーム（つまり、時刻Ｔ４０４から始まるフレーム）において、ＬＣＤ１０に黒画像表示（図９における、黒表示）されるよう、ＬＣＤ駆動部２０を制御する。
【０１１５】
なお、ＬＣＤコントローラ３０は、時刻Ｔ４０５においてＬＣＤ駆動部２０によるＬＣＤ１０の黒画像表示が終了すると、ＣＰＵ４０から画像信号が供給されるまで、ＬＣＤ駆動部２０によるリフレッシュを停止させる。
【０１１６】
上述の構成によれば、本実施形態に係る表示装置１は、ＣＰＵ４０に割込み信号を供給しても画像信号が供給されない場合であっても、ＬＣＤ１０に黒画像表示させる。これによって、ＬＣＤ１０に表示されている画像がリフレッシュされず、ＬＣＤ１０の備える画素に含まれる要素（例えば、ＴＦＴ、及びＬＣＤに用いられるＬＣＤ材料など）の特性が劣化してしまうことを防ぐことができる。
【０１１７】
＜変形例１＞
なお、本実施形態では、ＣＰＵ４０に割込み信号を供給しても画像信号が供給されない場合に、割込み信号を供給したフレームの直後のフレームにおいてＬＣＤ１０に黒画像表示させるように動作する場合を例に挙げて説明したが、本発明はこれに限定されるものではない。例えば、割込み信号を供給したフレームの直後のフレームから所定のフレーム数だけＬＣＤ１０に黒画像表示させるように動作する構成を採用してもよい。なお、本変形例では、割込み信号を供給したフレームの直後のフレームから２フレームだけＬＣＤ１０に黒画像表示させるように動作する場合を例に挙げて説明する。
【０１１８】
本変形例に係る表示装置１の休止駆動について、図１０を参照して説明する。図１０は、本実施形態の変形例に係る表示装置１における休止駆動の動作のタイミングを示すタイミングチャートである。図１０の（ａ）は、ＣＰＵ４０がＬＣＤコントローラ３０に画像信号を供給するタイミングを示し、（ｂ）は、ＬＣＤコントローラ３０がＣＰＵ４０に割込み信号を供給するタイミングを示し、（ｃ）は、ＬＣＤ駆動部２０がＬＣＤ１０に表示されている画像のリフレッシュを行うタイミングを示している。
【０１１９】
図１０の（ａ）〜（ｃ）に示すように、時刻Ｔ４１１においてＬＣＤコントローラ３０からＣＰＵ４０に割込み信号が供給されることにより、時刻Ｔ４１１からＴ４１２までの期間において、ＬＣＤ駆動部２０によるリフレッシュが行われる。
【０１２０】
ＬＣＤコントローラ３０は、ＬＣＤ駆動部２０によるリフレッシュが終了する時刻Ｔ４１２から休止期間が経過するまでの期間、ＬＣＤ駆動部２０によるリフレッシュを停止させる。
【０１２１】
また、時刻Ｔ４１３において休止期間が終了すると、ＬＣＤコントローラ３０は、時刻Ｔ４１３において、再びＣＰＵ４０に割込み信号を供給する。このとき、割込み信号が供給されているにも拘らず、ＣＰＵ４０からは画像信号が供給されず、ＬＣＤ駆動部２０によるリフレッシュも行われない。
【０１２２】
このような場合には、ＬＣＤコントローラ３０は、時刻Ｔ４１３から始まるフレームの直後のフレームを含めた連続する２フレーム（つまり、時刻Ｔ４１４、及びＴ４１５から始まるフレーム）において、ＬＣＤ１０に黒画像表示されるよう、ＬＣＤ駆動部２０を制御する。
【０１２３】
なお、ＬＣＤコントローラ３０は、時刻Ｔ４１６においてＬＣＤ駆動部２０によるＬＣＤ１０の黒画像表示が終了すると、ＣＰＵ４０から画像信号が供給されるまで、ＬＣＤ駆動部２０によるリフレッシュを停止させる。
【０１２４】
＜変形例２＞
なお、本実施形態では、ＣＰＵ４０に割込み信号を供給しても画像信号が供給されない場合に、割込み信号を供給したフレームの直後のフレームにおいてＬＣＤ１０に黒画像表示させるように動作する場合を例に挙げて説明したが、本発明はこれに限定されるものではない。例えば、割込み信号を供給したフレームの直後のフレームから、ＣＰＵ４０から画像信号が供給されるまで、ＬＣＤ１０に黒画像表示し続けるように動作する構成を採用してもよい。
【０１２５】
本変形例に係る表示装置１の休止駆動について、図１１を参照して説明する。図１１は、本実施形態の変形例に係る表示装置１における休止駆動の動作のタイミングを示すタイミングチャートである。図１１の（ａ）は、ＣＰＵ４０がＬＣＤコントローラ３０に画像信号を供給するタイミングを示し、（ｂ）は、ＬＣＤコントローラ３０がＣＰＵ４０に割込み信号を供給するタイミングを示し、（ｃ）は、ＬＣＤ駆動部２０がＬＣＤ１０に表示されている画像のリフレッシュを行うタイミングを示している。
【０１２６】
図１１の（ａ）〜（ｃ）に示すように、時刻Ｔ４２１においてＬＣＤコントローラ３０からＣＰＵ４０に割込み信号が供給されているにも拘らず、ＣＰＵ４０からは画像信号が供給されず、ＬＣＤ駆動部２０によるリフレッシュも行われない。
【０１２７】
このような場合には、ＬＣＤコントローラ３０は、時刻Ｔ４２１から始まるフレームの直後のフレーム（つまり、時刻Ｔ４２２から始まるフレーム）から、画像信号が供給される直前のフレームまで、ＬＣＤ１０に黒画像表示されるよう、ＬＣＤ駆動部２０を制御する。
【０１２８】
ＬＣＤコントローラ３０は、時刻Ｔ４２３においてＣＰＵ４０から画像信号を取得すると、時刻Ｔ４２３からＴ４２４までの期間において、ＬＣＤ駆動部２０によるリフレッシュが行われる。
【０１２９】
なお、ＬＣＤコントローラ３０は、時刻Ｔ４２４においてＬＣＤ駆動部２０によるリフレッシュが終了すると、再び休止期間が経過するまで、ＬＣＤ駆動部２０によるリフレッシュを停止させる。
【０１３０】
上述の構成によれば、本変形例に係る表示装置１は、ＬＣＤ駆動部２０に画像信号が供給されない場合、画像信号がＬＣＤ駆動部２０に供給されるまで、ＬＣＤ１０に黒画像を表示させ続ける。これによって、ＬＣＤ１０を構成する要素の特性が劣化してしまうことをさらに防ぐことができる。
【０１３１】
＜変形例３＞
なお、本実施形態では、ＣＰＵ４０に割込み信号を供給しても画像信号が供給されない場合に、割込み信号を供給したフレームの直後のフレームにおいてＬＣＤ１０に黒画像表示させるように動作する場合を例に挙げて説明したが、本発明はこれに限定されるものではない。例えば、割込み信号を供給したフレームの直後のフレームから表示装置１の電源がＯＦＦ状態になるまで、ＬＣＤ１０に黒画像表示し続けるように動作する構成を採用してもよい。
【０１３２】
本変形例に係る表示装置１の休止駆動について、図１２を参照して説明する。図１２は、本実施形態の変形例に係る表示装置１における休止駆動の動作のタイミングを示すタイミングチャートである。図１２の（ａ）は、ＣＰＵ４０がＬＣＤコントローラ３０に画像信号を供給するタイミングを示し、（ｂ）は、ＬＣＤコントローラ３０がＣＰＵ４０に割込み信号を供給するタイミングを示し、（ｃ）は、ＬＣＤ駆動部２０がＬＣＤ１０に表示されている画像のリフレッシュを行うタイミングを示している。
【０１３３】
図１２の（ａ）〜（ｃ）に示すように、時刻Ｔ４３１においてＬＣＤコントローラ３０からＣＰＵ４０に割込み信号が供給されているにも拘らず、ＣＰＵ４０からは画像信号が供給されず、ＬＣＤ駆動部２０によるリフレッシュも行われない。
【０１３４】
このような場合には、ＬＣＤコントローラ３０は、時刻Ｔ４３１から始まるフレームの直後のフレーム（つまり、時刻Ｔ４３２から始まるフレーム）から、表示装置１の電源がＯＦＦ状態になる直前のフレームまで、ＬＣＤ１０に黒画像表示されるよう、ＬＣＤ駆動部２０を制御する。
【０１３５】
ＬＣＤコントローラ３０は、図１２の（ａ）及び（ｃ）に示すように、時刻Ｔ４３３において表示装置１の電源がＯＦＦ状態に遷移するまで、ＬＣＤ駆動部２０によるＬＣＤ１０の黒画像表示が行われる。
【０１３６】
上述の構成によれば、本変形例に係る表示装置１は、ＬＣＤ駆動部２０に画像信号が供給されない場合、当該表示装置１の電源がオフ状態に遷移するまで、ＬＣＤ１０に黒画像を表示させ続ける。これによって、ＬＣＤ１０を構成する要素の特性が劣化してしまうことをさらに防ぐことができる。
【０１３７】
＜実施形態５＞
実施形態１では、休止期間の終了と同時にＬＣＤコントローラ３０からＣＰＵ４０に割込み信号が供給され、これによってＬＣＤ駆動部２０によるリフレッシュが行われる構成を例に挙げて説明したが、割込み信号が供給されたにも拘らず、例えばＣＰＵ４０の誤動作などに起因して、ＣＰＵ４０から画像信号が供給されないような場合もある。
【０１３８】
本実施形態に係る表示装置１が備えるＬＣＤコントローラ３０は、このような場合に、ＬＣＤ１０の備える各画素に含まれる画素電極、及び共通電極の電位が接地電位（すなわち、ＧＮＤレベル）となるように、ＬＣＤ駆動部２０を制御する。このときＬＣＤ駆動部２０は、画素電極にＧＮＤレベルの電位を印加するため、画素電極に接続されているＴＦＴのゲートに当該ＴＦＴをオン状態に遷移させるための電圧を供給するよう、走査信号線駆動回路を駆動する。なお、以降では、ＬＣＤ駆動部２０が、ＬＣＤ１０の備える各画素に含まれる画素電極、及び共通電極の電位をＧＮＤレベルとすることを、単にＬＣＤ１０の備える各画素の電位をＧＮＤレベルとする、とも記載する。
【０１３９】
本実施形態に係る表示装置１の動作について、図１３を参照して説明する。図１３は、本実施形態に係る表示装置１における休止駆動の動作のタイミングを示すタイミングチャートである。図１３の（ａ）は、ＣＰＵ４０がＬＣＤコントローラ３０に画像信号を供給するタイミングを示し、（ｂ）は、ＬＣＤコントローラ３０がＣＰＵ４０に割込み信号を供給するタイミングを示し、（ｃ）は、ＬＣＤ駆動部２０がＬＣＤ１０に表示されている画像のリフレッシュを行うタイミングを示している。
【０１４０】
図１３の（ａ）〜（ｃ）に示すように、時刻Ｔ５０１においてＬＣＤコントローラ３０からＣＰＵ４０に割込み信号が供給されることにより、時刻Ｔ５０１からＴ５０２までの期間において、ＬＣＤ駆動部２０によるリフレッシュが行われる。
【０１４１】
ＬＣＤコントローラ３０は、ＬＣＤ駆動部２０によるリフレッシュが終了する時刻Ｔ５０２から休止期間が経過するまでの期間、ＬＣＤ駆動部２０によるリフレッシュを停止させる。
【０１４２】
また、時刻Ｔ５０３において休止期間が終了すると、ＬＣＤコントローラ３０は、時刻Ｔ５０３において、再びＣＰＵ４０に割込み信号を供給する。このとき、割込み信号が供給されているにも拘らず、ＣＰＵ４０からは画像信号が供給されず、ＬＣＤ駆動部２０によるリフレッシュも行われない。
【０１４３】
このような場合には、ＬＣＤコントローラ３０は、時刻Ｔ５０３から始まるフレームの直後のフレーム（つまり、時刻Ｔ５０４から始まるフレーム）において、ＬＣＤ１０の備える各画素の電位をＧＮＤレベルとするよう、ＬＣＤ駆動部２０を制御する。
【０１４４】
なお、ＬＣＤコントローラ３０は、時刻Ｔ５０５においてＬＣＤ駆動部２０によってＬＣＤ１０の備える各画素の電位がＧＮＤレベルにされると、ＣＰＵ４０から画像信号が供給されるまで、ＬＣＤ駆動部２０によるリフレッシュを停止させる。
【０１４５】
上述の構成によれば、本実施形態に係る表示装置１は、ＣＰＵ４０に割込み信号を供給しても画像信号が供給されない場合であっても、ＬＣＤ１０の備える各画素に含まれる画素電極、及び共通電極の電位を接地電位とすることができる。これによって、ＬＣＤ１０に表示されている画像がリフレッシュされず、ＬＣＤ１０を構成する要素の特性が劣化してしまうことを防ぐことができる。
【０１４６】
＜変形例１＞
なお、本実施形態では、ＣＰＵ４０に割込み信号を供給しても画像信号が供給されない場合に、割込み信号を供給したフレームの直後のフレームにおいてＬＣＤ１０の備える各画素の電位がＧＮＤレベルとなるように動作する場合を例に挙げて説明したが、本発明はこれに限定されるものではない。例えば、割込み信号を供給したフレームの直後のフレームから複数フレーム続けてＬＣＤ１０の備える各画素の電位がＧＮＤレベルとなるように動作する構成を採用してもよい。なお、本変形例では、割込み信号を供給したフレームの直後のフレームから２フレーム続けてＬＣＤ１０の備える各画素の電位がＧＮＤレベルとなるように動作する場合を例に挙げて説明する。
【０１４７】
本変形例に係る表示装置１の休止駆動について、図１４を参照して説明する。図１４は、本実施形態の変形例に係る表示装置１における休止駆動の動作のタイミングを示すタイミングチャートである。図１４の（ａ）は、ＣＰＵ４０がＬＣＤコントローラ３０に画像信号を供給するタイミングを示し、（ｂ）は、ＬＣＤコントローラ３０がＣＰＵ４０に割込み信号を供給するタイミングを示し、（ｃ）は、ＬＣＤ駆動部２０がＬＣＤ１０に表示されている画像のリフレッシュを行うタイミングを示している。
【０１４８】
図１４の（ａ）〜（ｃ）に示すように、時刻Ｔ５１１においてＬＣＤコントローラ３０からＣＰＵ４０に割込み信号が供給されることにより、時刻Ｔ５１１からＴ５１２までの期間において、ＬＣＤ駆動部２０によるリフレッシュが行われる。
【０１４９】
ＬＣＤコントローラ３０は、ＬＣＤ駆動部２０によるリフレッシュが終了する時刻Ｔ５１２から休止期間が経過するまでの期間、ＬＣＤ駆動部２０によるリフレッシュを停止させる。
【０１５０】
また、時刻Ｔ５１３において休止期間が終了すると、ＬＣＤコントローラ３０は、時刻Ｔ５１３において、再びＣＰＵ４０に割込み信号を供給する。このとき、割込み信号が供給されているにも拘らず、ＣＰＵ４０からは画像信号が供給されず、ＬＣＤ駆動部２０によるリフレッシュも行われない。
【０１５１】
このような場合には、ＬＣＤコントローラ３０は、時刻Ｔ５１３から始まるフレームの直後のフレームを含めた連続する２フレーム（つまり、時刻Ｔ５１４、及びＴ５１５から始まるフレーム）において、ＬＣＤ１０の備える各画素の電位をＧＮＤレベルにするよう、ＬＣＤ駆動部２０を制御する。
【０１５２】
なお、ＬＣＤコントローラ３０は、時刻Ｔ５１６において、ＬＣＤ駆動部２０によるＬＣＤ１０の備える各画素の電位をＧＮＤレベルとする駆動が終了すると、ＣＰＵ４０から画像信号が供給されるまで、ＬＣＤ駆動部２０によるリフレッシュを停止させる。
【０１５３】
＜変形例２＞
なお、本実施形態では、ＣＰＵ４０に割込み信号を供給しても画像信号が供給されない場合に、割込み信号を供給したフレームの直後のフレームにおいてＬＣＤ１０の備える各画素の電位をＧＮＤレベル化にするように動作する場合を例に挙げて説明したが、本発明はこれに限定されるものではない。例えば、割込み信号を供給したフレームの直後のフレームから、ＣＰＵ４０から画像信号が供給されるまで、ＬＣＤ１０の備える各画素に含まれる画素電極、及び共通電極の電位をＧＮＤレベルにし続けるように動作する構成を採用してもよい。
【０１５４】
本変形例に係る表示装置１の休止駆動について、図１５を参照して説明する。図１５は、本実施形態の変形例に係る表示装置１における休止駆動の動作のタイミングを示すタイミングチャートである。図１５の（ａ）は、ＣＰＵ４０がＬＣＤコントローラ３０に画像信号を供給するタイミングを示し、（ｂ）は、ＬＣＤコントローラ３０がＣＰＵ４０に割込み信号を供給するタイミングを示し、（ｃ）は、ＬＣＤ駆動部２０がＬＣＤ１０に表示されている画像のリフレッシュを行うタイミングを示している。
【０１５５】
図１５の（ａ）〜（ｃ）に示すように、時刻Ｔ５２１においてＬＣＤコントローラ３０からＣＰＵ４０に割込み信号が供給されているにも拘らず、ＣＰＵ４０からは画像信号が供給されず、ＬＣＤ駆動部２０によるリフレッシュも行われない。
【０１５６】
このような場合には、ＬＣＤコントローラ３０は、時刻Ｔ５２１から始まるフレームの直後のフレーム（つまり、時刻Ｔ５２２から始まるフレーム）から、画像信号が供給される直前のフレームまで、ＬＣＤ１０の備える各画素の電位がＧＮＤレベルになるよう、ＬＣＤ駆動部２０を制御する。
【０１５７】
ＬＣＤコントローラ３０は、時刻Ｔ５２３においてＣＰＵ４０から画像信号を取得すると、時刻Ｔ５２３からＴ５２４までの期間において、ＬＣＤ駆動部２０によるリフレッシュが行われる。
【０１５８】
なお、ＬＣＤコントローラ３０は、時刻Ｔ５２４においてＬＣＤ駆動部２０によるリフレッシュが終了すると、再び休止期間が経過するまで、ＬＣＤ駆動部２０によるリフレッシュを停止させる。
【０１５９】
上述の構成によれば、本変形例に係る表示装置１は、ＬＣＤ駆動部２０に画像信号が供給されない場合、ＬＣＤ駆動部２０に画像信号が供給されるまで、ＬＣＤ１０の備える各画素の電位を接地電位とし続ける。これによって、ＬＣＤ１０を構成する要素の特性が劣化してしまうことを防ぐことができる。
【０１６０】
＜変形例３＞
なお、本実施形態では、ＣＰＵ４０に割込み信号を供給しても画像信号が供給されない場合に、割込み信号を供給したフレームの直後のフレームにおいてＬＣＤ１０の備える各画素の電位がＧＮＤレベル化になるように動作する場合を例に挙げて説明したが、本発明はこれに限定されるものではない。例えば、割込み信号を供給したフレームの直後のフレームから表示装置１の電源がＯＦＦ状態になるまで、ＬＣＤ１０の備える各画素に含まれる画素電極、及び共通電極の電位をＧＮＤレベルにし続けるように動作する構成を採用してもよい。
【０１６１】
本変形例に係る表示装置１の休止駆動について、図１６を参照して説明する。図１６は、本実施形態の変形例に係る表示装置１における休止駆動の動作のタイミングを示すタイミングチャートである。図１６の（ａ）は、ＣＰＵ４０がＬＣＤコントローラ３０に画像信号を供給するタイミングを示し、（ｂ）は、ＬＣＤコントローラ３０がＣＰＵ４０に割込み信号を供給するタイミングを示し、（ｃ）は、ＬＣＤ駆動部２０がＬＣＤ１０に表示されている画像のリフレッシュを行うタイミングを示している。
【０１６２】
図１６の（ａ）〜（ｃ）に示すように、時刻Ｔ５３１においてＬＣＤコントローラ３０からＣＰＵ４０に割込み信号が供給されているにも拘らず、ＣＰＵ４０からは画像信号が供給されず、ＬＣＤ駆動部２０によるリフレッシュも行われない。
【０１６３】
このような場合には、ＬＣＤコントローラ３０は、図１６の（ａ）及び（ｃ）に示すように、時刻Ｔ５３１から始まるフレームの直後のフレーム（つまり、時刻Ｔ５３２から始まるフレーム）から、時刻Ｔ５３３において表示装置１の電源がＯＦＦ状態になる直前のフレームまで、ＬＣＤ１０の備える各画素の電位がＧＮＤレベルとなるよう、ＬＣＤ駆動部２０を制御する。
【０１６４】
上述の構成によれば、本変形例に係る表示装置１は、ＬＣＤ駆動部２０に画像信号が供給されない場合、当該表示装置１の電源がオフ状態に遷移するまで、ＬＣＤ１０の備える各画素の電位を接地電位とし続ける。これによって、ＬＣＤ１０を構成する要素が劣化してしまうことを防ぐことができる。
【０１６５】
＜実施形態６＞
実施形態１では、休止期間の終了と同時にＬＣＤコントローラ３０からＣＰＵ４０に割込み信号が供給され、これによってＬＣＤ駆動部２０によるリフレッシュが行われる構成を例に挙げて説明したが、割込み信号が供給されたにも拘らず、例えばＣＰＵ４０の誤動作などに起因して、ＣＰＵ４０から画像信号が供給されないような場合もある。
【０１６６】
本実施形態に係る表示装置１が備えるＬＣＤコントローラ３０は、このような場合に、ＬＣＤ１０の備える各画素に含まれる画素電極、及び共通電極の電位がＧＮＤレベル以外の共通な電位（共通電位）となるように、ＬＣＤ駆動部２０を制御する。このとき、ＬＣＤ駆動部２０は、共通電極に印加される電位と同じ電位を画素電極に印加するため、画素電極に接続されているＴＦＴのゲートに当該ＴＦＴをオン状態にするための電圧を供給するよう、走査信号線駆動回路を駆動する。なお、以降では、ＬＣＤ駆動部２０が、ＬＣＤ１０の備える各画素に含まれる画素電極、及び共通電極の電位を共通電位とすることを、単にＬＣＤ１０の備える各画素の電位を共通電位とする、とも記載する。
【０１６７】
本実施形態に係る表示装置１の動作について、図１７を参照して説明する。図１７は、本実施形態に係る表示装置１における休止駆動の動作のタイミングを示すタイミングチャートである。図１７の（ａ）は、ＣＰＵ４０がＬＣＤコントローラ３０に画像信号を供給するタイミングを示し、（ｂ）は、ＬＣＤコントローラ３０がＣＰＵ４０に割込み信号を供給するタイミングを示し、（ｃ）は、ＬＣＤ駆動部２０がＬＣＤ１０に表示されている画像のリフレッシュを行うタイミングを示している。
【０１６８】
図１７の（ａ）〜（ｃ）に示すように、時刻Ｔ６０１においてＬＣＤコントローラ３０からＣＰＵ４０に割込み信号が供給されることにより、時刻Ｔ６０１からＴ６０２までの期間において、ＬＣＤ駆動部２０によるリフレッシュが行われる。
【０１６９】
ＬＣＤコントローラ３０は、ＬＣＤ駆動部２０によるリフレッシュが終了する時刻Ｔ６０２から休止期間が経過するまでの期間、ＬＣＤ駆動部２０によるリフレッシュを停止させる。
【０１７０】
また、時刻Ｔ６０３において休止期間が終了すると、ＬＣＤコントローラ３０は、時刻Ｔ６０３において、再びＣＰＵ４０に割込み信号を供給する。このとき、割込み信号が供給されているにも拘らず、ＣＰＵ４０からは画像信号が供給されず、ＬＣＤ駆動部２０によるリフレッシュも行われない。
【０１７１】
このような場合には、ＬＣＤコントローラ３０は、時刻Ｔ６０３から始まるフレームの直後のフレーム（つまり、時刻Ｔ６０４から始まるフレーム）において、ＬＣＤ１０の備える各画素の電位を共通電位とするよう、ＬＣＤ駆動部２０を制御する。
【０１７２】
なお、ＬＣＤコントローラ３０は、時刻Ｔ６０５においてＬＣＤ駆動部２０によってＬＣＤ１０の備える各画素の電位が共通電位にされると、ＣＰＵ４０から画像信号が供給されるまで、ＬＣＤ駆動部２０によるリフレッシュを停止させる。
【０１７３】
上述の構成によれば、本実施形態に係る表示装置１は、ＣＰＵ４０に割込み信号を供給しても画像信号が供給されない場合であっても、ＬＣＤ１０の備える各画素に含まれる画素電極、及び共通電極の電位を共通電位とすることができる。これによって、ＬＣＤ１０に表示されている画像がリフレッシュされず、ＬＣＤ１０を構成する要素の特性が劣化してしまうことを防ぐことができる。
【０１７４】
＜変形例１＞
なお、本実施形態では、ＣＰＵ４０に割込み信号を供給しても画像信号が供給されない場合に、割込み信号を供給したフレームの直後のフレームにおいてＬＣＤ１０の備える各画素の電位が共通電位となるように動作する場合を例に挙げて説明したが、本発明はこれに限定されるものではない。例えば、割込み信号を供給したフレームの直後のフレームから複数フレーム続けてＬＣＤ１０の備える各画素の電位が共通電位となるように動作する構成を採用してもよい。なお、本変形例では、割込み信号を供給したフレームの直後のフレームから２フレーム続けてＬＣＤ１０の備える各画素の電位が共通電位となるように動作する場合を例に挙げて説明する。
【０１７５】
本変形例に係る表示装置１の休止駆動について、図１８を参照して説明する。図１８は、本実施形態の変形例に係る表示装置１における休止駆動の動作のタイミングを示すタイミングチャートである。図１８の（ａ）は、ＣＰＵ４０がＬＣＤコントローラ３０に画像信号を供給するタイミングを示し、（ｂ）は、ＬＣＤコントローラ３０がＣＰＵ４０に割込み信号を供給するタイミングを示し、（ｃ）は、ＬＣＤ駆動部２０がＬＣＤ１０に表示されている画像のリフレッシュを行うタイミングを示している。
【０１７６】
図１８の（ａ）〜（ｃ）に示すように、時刻Ｔ６１１においてＬＣＤコントローラ３０からＣＰＵ４０に割込み信号が供給されることにより、時刻Ｔ６１１からＴ６１２までの期間において、ＬＣＤ駆動部２０によるリフレッシュが行われる。
【０１７７】
ＬＣＤコントローラ３０は、ＬＣＤ駆動部２０によるリフレッシュが終了する時刻Ｔ６１２から休止期間が経過するまでの期間、ＬＣＤ駆動部２０によるリフレッシュを停止させる。
【０１７８】
また、時刻Ｔ６１３において休止期間が終了すると、ＬＣＤコントローラ３０は、時刻Ｔ６１３において、再びＣＰＵ４０に割込み信号を供給する。このとき、割込み信号が供給されているにも拘らず、ＣＰＵ４０からは画像信号が供給されず、ＬＣＤ駆動部２０によるリフレッシュも行われない。
【０１７９】
このような場合には、ＬＣＤコントローラ３０は、時刻Ｔ６１３から始まるフレームの直後のフレームを含めた連続する２フレーム（つまり、時刻Ｔ６１４、及びＴ６１５から始まるフレーム）において、ＬＣＤ１０の備える各画素の電位を共通電位にするよう、ＬＣＤ駆動部２０を制御する。
【０１８０】
なお、ＬＣＤコントローラ３０は、時刻Ｔ６１６において、ＬＣＤ駆動部２０によるＬＣＤ１０の備える各画素の電位を共通電位とする駆動が終了すると、ＣＰＵ４０から画像信号が供給されるまで、ＬＣＤ駆動部２０によるリフレッシュを停止させる。
【０１８１】
＜変形例２＞
なお、本実施形態では、ＣＰＵ４０に割込み信号を供給しても画像信号が供給されない場合に、割込み信号を供給したフレームの直後のフレームにおいてＬＣＤ１０の備える各画素の電位が共通電位となるように動作する場合を例に挙げて説明したが、本発明はこれに限定されるものではない。例えば、割込み信号を供給したフレームの直後のフレームから、ＣＰＵ４０から画像信号が供給されるまで、ＬＣＤ１０の備える各画素の電位を共通電位にし続けるように動作する構成を採用してもよい。
【０１８２】
本変形例に係る表示装置１の休止駆動について、図１９を参照して説明する。図１９は、本実施形態の変形例に係る表示装置１における休止駆動の動作のタイミングを示すタイミングチャートである。図１９の（ａ）は、ＣＰＵ４０がＬＣＤコントローラ３０に画像信号を供給するタイミングを示し、（ｂ）は、ＬＣＤコントローラ３０がＣＰＵ４０に割込み信号を供給するタイミングを示し、（ｃ）は、ＬＣＤ駆動部２０がＬＣＤ１０に表示されている画像のリフレッシュを行うタイミングを示している。
【０１８３】
図１９の（ａ）〜（ｃ）に示すように、時刻Ｔ６２１においてＬＣＤコントローラ３０からＣＰＵ４０に割込み信号が供給されているにも拘らず、ＣＰＵ４０からは画像信号が供給されず、ＬＣＤ駆動部２０によるリフレッシュも行われない。
【０１８４】
このような場合には、ＬＣＤコントローラ３０は、時刻Ｔ６２１から始まるフレームの直後のフレーム（つまり、時刻Ｔ６２２から始まるフレーム）から、画像信号が供給される直前のフレームまで、ＬＣＤ１０の備える各画素の電位が共通電位になるよう、ＬＣＤ駆動部２０を制御する。
【０１８５】
ＬＣＤコントローラ３０は、時刻Ｔ６２３においてＣＰＵ４０から画像信号を取得すると、時刻Ｔ６２３からＴ６２４までの期間において、ＬＣＤ駆動部２０によるリフレッシュが行われる。
【０１８６】
なお、ＬＣＤコントローラ３０は、時刻Ｔ６２４においてＬＣＤ駆動部２０によるリフレッシュが終了すると、再び休止期間が経過するまで、ＬＣＤ駆動部２０によるリフレッシュを停止させる。
【０１８７】
上述の構成によれば、本変形例に係る表示装置１は、ＬＣＤ駆動部２０に画像信号が供給されない場合、ＬＣＤ駆動部２０に画像信号が供給されるまで、ＬＣＤ１０の備える各画素の電位を共通電位とし続ける。これによって、ＬＣＤ１０を構成する要素の特性が劣化してしまうことを防ぐことができる。
【０１８８】
＜変形例３＞
なお、本実施形態では、ＣＰＵ４０に割込み信号を供給しても画像信号が供給されない場合に、割込み信号を供給したフレームの直後のフレームにおいてＬＣＤ１０の備える各画素の電位が共通電位となるように動作する場合を例に挙げて説明したが、本発明はこれに限定されるものではない。例えば、割込み信号を供給したフレームの直後のフレームから表示装置１の電源がＯＦＦ状態になるまで、ＬＣＤ１０の備える各画素に含まれる画素電極、及び共通電極の電位を共通電位にし続けるように動作する構成を採用してもよい。
【０１８９】
本変形例に係る表示装置１の休止駆動について、図２０を参照して説明する。図２０は、本実施形態の変形例に係る表示装置１における休止駆動の動作のタイミングを示すタイミングチャートである。図２０の（ａ）は、ＣＰＵ４０がＬＣＤコントローラ３０に画像信号を供給するタイミングを示し、（ｂ）は、ＬＣＤコントローラ３０がＣＰＵ４０に割込み信号を供給するタイミングを示し、（ｃ）は、ＬＣＤ駆動部２０がＬＣＤ１０に表示されている画像のリフレッシュを行うタイミングを示している。
【０１９０】
図２０の（ａ）〜（ｃ）に示すように、時刻Ｔ６３１においてＬＣＤコントローラ３０からＣＰＵ４０に割込み信号が供給されているにも拘らず、ＣＰＵ４０からは画像信号が供給されず、ＬＣＤ駆動部２０によるリフレッシュも行われない。
【０１９１】
このような場合には、ＬＣＤコントローラ３０は、図２０の（ａ）及び（ｃ）に示すように、時刻Ｔ６３１から始まるフレームの直後のフレーム（つまり、時刻Ｔ６３２から始まるフレーム）から、時刻Ｔ６３３において表示装置１の電源がＯＦＦ状態になる直前のフレームまで、ＬＣＤ１０の備える各画素の電位が共通電位となるよう、ＬＣＤ駆動部２０を制御する。
【０１９２】
上述の構成によれば、本変形例に係る表示装置１は、ＬＣＤ駆動部２０に画像信号が供給されない場合、当該表示装置１の電源がオフ状態に遷移するまで、ＬＣＤ１０の備える各画素の電位を共通電位とし続ける。これによって、ＬＣＤ１０を構成する要素が劣化してしまうことを防ぐことができる。
【０１９３】
〔酸化物半導体を用いたＴＦＴの特性〕
上述の実施形態では、ＬＣＤ１０の備えるＴＦＴを特に限定していなかったが、ＴＦＴとして、いわゆる酸化物半導体を材料とする半導体層ＴＦＴを採用することができる。なお、酸化物半導体としては、例えば、ＩＧＺＯ（ＩｎＧａＺｎＯｘ）などを挙げることができる。
【０１９４】
ＴＦＴとして酸化物半導体を用いた場合のＴＦＴの特性を図２１に基づいて説明する。図２１は、各種ＴＦＴの特性を示す図である。具体的には、図２１は、酸化物半導体を用いたＴＦＴ、ａ−Ｓｉ（amorphous silicon）を用いたＴＦＴ、及び、ＬＴＰＳ（Low Temperature Poly Silicon）を用いたＴＦＴの各々の特性を示している。
【０１９５】
図２１において、横軸（Ｖｇｈ）は、上記各ＴＦＴにおいてゲートに供給されるオン電圧の電圧値を示し、縦軸（Ｉｄ）は、上記各ＴＦＴにおけるソース−ドレイン間の電流量を示している。
【０１９６】
特に、図中において「ＴＦＴ−ｏｎ」と示されている期間は、オン電圧の電圧値に応じてオン状態となっている期間を示し、図中において「ＴＦＴ−ｏｆｆ」と示されている期間は、オン電圧の電圧値に応じてオフ状態となっている期間を示す。
【０１９７】
図２１に示すように、酸化物半導体を用いたＴＦＴは、ａ−Ｓｉを用いたＴＦＴよりも、オン状態の時の電子移動度が２０〜５０倍程度高く、オン特性が非常に優れていることから、リフレッシュレートを高くすることも容易である。
【０１９８】
上述した実施形態に係る表示装置１が備えるＬＣＤ１０は、このようなオン特性が優れている酸化物半導体を用いたＴＦＴを各画素に採用することにより、より小型のＴＦＴで画素を駆動することができる。これによって、ＬＣＤ１０は、各画素において、ＴＦＴが占める面積の割り合いを小さくすることができる。すなわち、各画素における開口率を高め、バックライト光の透過率を高めることができる。その結果、消費電力が少ないバックライトを採用したり、バックライトの輝度を抑制したりすることができるので、消費電力を低減することができる。
【０１９９】
また、ＴＦＴのオン特性が優れているために、各画素に対する画像信号の書き込み時間をより短時間化することもできるので、ＬＣＤ１０のリフレッシュレートを容易に高くすることができる。
【０２００】
また、図２１に示すように、酸化物半導体を用いたＴＦＴは、オフ状態のときのリーク電流が、ａ−Ｓｉを用いたＴＦＴの１００分の１程度であり、リーク電流が殆ど生じない、オフ特性が非常に優れたものである。このように、オフ特性が非常に優れていることから、リフレッシュレートを低くすることも容易である。
【０２０１】
上述した実施形態に係るＬＣＤ１０は、このようなオフ特性が優れている酸化物半導体を用いたＴＦＴを各画素に採用することにより、ＬＣＤ１０が備える複数の画素の各々における画像信号が書き込まれている状態を長期間維持することができるので、ＬＣＤ１０のリフレッシュレートを容易に低くすることができる。
【０２０２】
したがって、上述した実施形態における休止期間を、より長い期間に設定することができる。つまり、ＬＣＤ１０に表示されている画像を一度リフレッシュした後に、再びリフレッシュするまでの期間を、より長くすることができる。これによって、上述した実施形態に係る表示装置１は、ＬＣＤ駆動部２０によるリフレッシュの回数を最小限に抑えることができるため、リフレッシュに要する消費電力をさらに削減することができる。
【０２０３】
〔プログラム、記憶媒体〕
表示装置１の備えるＬＣＤコントローラ３０、及びＣＰＵ４０は、集積回路（ＩＣチップ）上に形成された論理回路によってハードウェア的に実現してもよいし、ＣＰＵ（Central Processing Unit）を用いてソフトウェア的に実現してもよい。
【０２０４】
後者の場合、ＬＣＤコントローラ３０、及びＣＰＵ４０は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるＬＣＤコントローラ３０、及びＣＰＵ４０の制御プログラムのプログラムコード（実行形式プログラム、中間コードプログラム、ソースプログラム）をコンピュータで読み取り可能に記録した記録媒体を、ＬＣＤコントローラ３０、及びＣＰＵ４０に供給し、そのコンピュータ（またはＣＰＵやＭＰＵ）が記録媒体に記録されているプログラムコードを読み出し実行することによっても、達成可能である。
【０２０５】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０２０６】
また、上記プログラムコードは、通信ネットワークを介してＬＣＤコントローラ３０、及びＣＰＵ４０に供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０２０７】
〔まとめ〕
本発明の一態様に係る表示装置（表示装置１）は、上述のように、ディスプレイ（ＬＣＤ１０）に画像信号の表す画像を表示する表示手段（ＬＣＤ駆動部２０、ＬＣＤコントローラ３０）と、上記表示手段に画像信号を供給する画像信号供給手段（ＣＰＵ４０）と、を備え、上記表示手段は、画像信号の供給を指示する制御信号を上記画像信号供給手段に供給し、上記画像信号供給手段は、制御信号を取得した場合に画像信号を供給する、ことを特徴としている。
【０２０８】
本発明の一態様に係る表示装置の制御方法は、上述のように、ディスプレイに画像信号の表す画像を表示する表示手段と、上記表示手段に画像信号を供給する画像信号供給手段と、を備えた表示装置の制御方法であって、上記表示手段は、画像信号の供給を指示する制御信号を上記画像信号供給手段に供給する指示ステップを含み、上記画像信号供給手段は、制御信号を取得した場合に画像信号を供給する供給ステップを含んでいる、ことを特徴としている。
【０２０９】
上記の構成によれば、上記表示手段は、上記制御信号を供給することにより、リフレッシュに用いる画像信号を上記画像信号供給手段から直接取得することができる。このため、上記表示装置は、上記表示手段におけるリフレッシュに用いる画像信号を、フレームメモリに格納しておく必要がない。すなわち、上記表示手段は、画像信号を格納するためにフレームメモリを備えている必要がない。したがって、上記表示装置は、ある制御信号の供給から次の制御信号の供給までの期間によって定まる停止期間においてリフレッシュを停止することにより消費電力を削減することができると共に、フレームメモリに要するコストを削減することができる。
【０２１０】
また、上記表示装置は、上記表示手段によって上記停止期間の長さを設定しておくことができるため、上記ディスプレイの特性に合った停止期間を設定しておくことができる。これによって、上記停止期間が上記ディスプレイの特性に合わないことにより、上記ディスプレイを構成する要素（例えば、ＴＦＴ及びＬＣＤ材料など）の特性が劣化してしまうことを防ぐことができる。
【０２１１】
また、本発明の一態様に係る表示装置において、上記表示手段は、上記画像信号供給手段に対して制御信号を複数回供給する、ことが好ましい。
【０２１２】
上記の構成によれば、上記表示手段は、リフレッシュに用いる画像信号を複数回取得することができる。これによって、上記表示手段は、上記ディスプレイの備える各画素の電位が、１度のリフレッシュで所定の電位に達しなかった場合でも、複数回リフレッシュを行うことによって所定の電位とすることができるため、表示品位を保つことができる。
【０２１３】
また、本発明の一態様に係る表示装置において、上記表示手段は、制御信号によらずに上記画像信号供給手段から画像信号が供給された場合、当該供給された画像信号に基づいて画像をリフレッシュする、ことが好ましい。
【０２１４】
上記の構成によれば、上記表示装置は、停止期間中に画像信号供給手段から画像信号が供給された場合であっても、当該供給された画像信号に基づいてディスプレイに表示されている画像をリフレッシュすることができる。
【０２１５】
また、本発明の一態様に係る表示装置において、上記表示手段は、上記画像信号供給手段に対して制御信号を供給しても画像信号が供給されない場合、さらに、少なくとも１回、制御信号を供給する、ことが好ましい。
【０２１６】
上記の構成によれば、上記表示装置は、上記画像信号供給手段に制御信号を１度供給するだけでは画像信号が供給されない場合であっても、さらに制御信号を供給することによって、上記画像信号供給手段からの画像信号を取得することができる。これによって、上記表示手段は、画像のリフレッシュをすることができる。
【０２１７】
また、本発明の一態様に係る表示装置において、上記表示手段は、制御信号を、一定期間が経過する度に上記画像信号供給手段に供給する、ことが好ましい。
【０２１８】
上記の構成によれば、上記表示装置は、上記画像信号供給手段に制御信号を１度供給するだけでは画像信号が供給されない場合であっても、さらに一定期間が経過する度に制御信号を供給することによって、上記画像信号供給手段からの画像信号を取得することができる。これによって、上記表示手段は、画像のリフレッシュをすることができる。
【０２１９】
また、本発明の一態様に係る表示装置において、上記表示手段は、上記画像信号供給手段に対して制御信号を供給しても画像信号が供給されない場合、上記ディスプレイに少なくとも１回黒画像を表示する、ことが好ましい。
【０２２０】
上記の構成によれば、上記表示手段は、上記画像信号供給手段に制御信号を供給したにも拘らず画像信号が供給されない場合、上記ディスプレイに黒画像を表示する。これによって、上記表示装置は、上記ディスプレイに表示されている画像がリフレッシュされず、上記ディスプレイを構成する要素の特性が劣化してしまうことを防ぐことができる。
【０２２１】
また、本発明の一態様に係る表示装置において、上記表示手段は、画像信号が供給されるまで、上記ディスプレイに黒画像を表示し続ける、ことが好ましい。
【０２２２】
また、本発明の一態様に係る表示装置において、上記表示手段は、当該表示装置の電源がオフ状態になるまで、上記ディスプレイに黒画像を表示し続ける、ことが好ましい。
【０２２３】
上記の構成によれば、上記表示手段は、上記画像信号供給手段に制御信号を供給したにも拘らず画像信号が供給されない場合、画像信号が供給されるまで、又は、上記表示装置の電源がオフ状態に遷移するまで、上記ディスプレイに黒画像を表示し続ける。これによって、上記ディスプレイを構成する要素の特性が劣化してしまうことをさらに防ぐことができる。
【０２２４】
また、本発明の一態様に係る表示装置において、上記表示手段は、上記画像信号供給手段に対して制御信号を供給しても画像信号が供給されない場合、上記ディスプレイを構成する複数の画素の各々の電位を、少なくとも１回接地電位にする、ことが好ましい。
【０２２５】
上記の構成によれば、上記表示装置は、上記画像信号供給手段に制御信号を供給したにも拘らず画像信号が供給されない場合、上記ディスプレイを構成する複数の画素の各々の電位を接地電位にする。これによって、上記ディスプレイに表示されている画像がリフレッシュされず、上記ディスプレイを構成する要素の特性が劣化してしまうことを防ぐことができる。
【０２２６】
また、本発明の一態様に係る表示装置において、上記表示手段は、画像信号が供給されるまで、上記各画素の電位を接地電位にし続ける、ことが好ましい。
【０２２７】
また、本発明の一態様に係る表示装置において、上記表示手段は、当該表示装置の電源がオフ状態になるまで、上記各画素の電位を接地電位にし続ける、ことが好ましい。
【０２２８】
上記の構成によれば、上記表示手段は、上記画像信号供給手段に制御信号を供給したにも拘らず画像信号が供給されない場合、画像信号が供給されるまで、又は、上記表示装置の電源がオフ状態に遷移するまで、上記ディスプレイの備える各画素の電位を接地電位にし続ける。これによって、上記ディスプレイを構成する要素の特性が劣化してしまうことをさらに防ぐことができる。
【０２２９】
また、本発明の一態様に係る表示装置において、上記ディスプレイを構成する複数の画素の各々は、画素電極、及び共通電極をさらに備え、上記表示手段は、上記画像信号供給手段に対して制御信号を供給しても画像信号が供給されない場合、上記画素電極及び上記共通電極の電位を、少なくとも１回ＧＮＤレベル以外の共通電位にする、ことが好ましい。
【０２３０】
上記の構成によれば、上記表示装置は、上記画像信号供給手段に制御信号を供給したにも拘らず画像信号が供給されない場合、上記ディスプレイを構成する複数の画素の各々の電位をＧＮＤレベル以外の共通電位にする。これによって、上記ディスプレイに表示されている画像がリフレッシュされず、上記ディスプレイを構成する要素の特性が劣化してしまうことを防ぐことができる。
【０２３１】
また、本発明の一態様に係る表示装置において、上記表示手段は、画像信号が供給されるまで、上記画素電極及び上記共通電極の電位をＧＮＤレベル以外の共通電位にし続ける、ことが好ましい。
【０２３２】
また、本発明の一態様に係る表示装置において、上記表示手段は、当該表示装置の電源がオフ状態になるまで、上記画素電極及び上記共通電極の電位をＧＮＤレベル以外の共通電位にし続ける、ことが好ましい。
【０２３３】
上記の構成によれば、上記表示手段は、上記画像信号供給手段に制御信号を供給したにも拘らず画像信号が供給されない場合、画像信号が供給されるまで、又は、上記表示装置の電源がオフ状態に遷移するまで、上記ディスプレイの備える各画素の電位をＧＮＤレベル以外の共通電位にし続ける。これによって、上記ディスプレイを構成する要素の特性が劣化してしまうことをさらに防ぐことができる。
【０２３４】
また、本発明の一態様に係る表示装置において、上記ディスプレイを構成する複数の画素の各々は、ＴＦＴをさらに備え、上記ＴＦＴは、酸化物半導体を材料とする半導体層を有している、ことが好ましい。
【０２３５】
また、本発明の一態様に係る表示装置において、上記酸化物半導体は、ＩＧＺＯである、ことが好ましい。
【０２３６】
酸化物半導体を用いたＴＦＴは、オフ特性が非常に優れていることから、容易にリフレッシュレートを低くすることができる。すなわち、上記ディスプレイが備える複数の画素の各々における画像信号が書き込まれている状態を長期間維持することができる。
【０２３７】
したがって、上記停止期間を、より長い期間に設定することができる。これによって、上記表示手段によるリフレッシュの回数を最小限に抑えることができるため、上記表示装置は、さらに消費電力を削減することができる。
【０２３８】
以上、本発明の実施形態について説明したが、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０２３９】
以上のように、本発明に係る表示装置は、テレビジョン受像機、パーソナルコンピュータ、携帯電話、スマートフォン、タブレット型ＰＣなどに好適に利用することができる。
【符号の説明】
【０２４０】
１        表示装置
１０      ＬＣＤ（ディスプレイ）
２０      ＬＣＤ駆動部（表示手段）
３０      ＬＣＤコントローラ（表示手段）
４０      ＣＰＵ（画像信号供給手段）
５０      インターフェース
【図１】
0006030115.tif 000002
【図２】
0006030115.tif 000003
【図３】
0006030115.tif 000004
【図４】
0006030115.tif 000005
【図５】
0006030115.tif 000006
【図６】
0006030115.tif 000007
【図７】
0006030115.tif 000008
【図８】
0006030115.tif 000009
【図９】
0006030115.tif 000010
【図１０】
0006030115.tif 000011
【図１１】
0006030115.tif 000012
【図１２】
0006030115.tif 000013
【図１３】
0006030115.tif 000014
【図１４】
0006030115.tif 000015
【図１５】
0006030115.tif 000016
【図１６】
0006030115.tif 000017
【図１７】
0006030115.tif 000018
【図１８】
0006030115.tif 000019
【図１９】
0006030115.tif 000020
【図２０】
0006030115.tif 000021
【図２１】
0006030115.tif 000022